(57)【要約】【課題】本発明は、切り替え素子やインピーダンスマッチング素子等からなる切り替え回路を用いることなく、本体アンテナと外部アンテナ入力端子との切り替えを必要最小限の部品で実現することができ、切り替え回路の配置スペースを確保することがないと共に、切り替え素子やインピーダンスマッチング素子等の損失による受信感度の低下を防止することができる携帯端末装置を提供することを課題とする。【解決手段】クレードル２に載置した際に、コネクト手段によってクレードル２に設けられた信号接続ピン２２と本体アンテナ１１とが接続されるように構成することにより、携帯端末装置１をクレードル２に載置すると、信号接続ピン２２と本体アンテナ１１が接続され、信号接続ピン２２から供給される信号を本体アンテナ１１経由でチューナ部に入力させることができる。【選択図】        図３
2009038719.tif 000002
【特許請求の範囲】
【請求項１】
クレードルに載置可能な携帯端末装置であって、
信号を受信する本体アンテナと、
該本体アンテナによって受信された信号を中間周波信号に変換する信号変換手段と、
該信号変換手段によって変換された前記中間周波信号を映像信号と音声信号とに復調する信号復調手段と、
前記クレードルに載置した際に、前記クレードルに設けられた信号接続ピンと前記本体アンテナとを接続するコネクト手段とを具備し、
前記信号接続ピンから供給される信号を前記本体アンテナ経由で前記信号変換手段に入力させることを特徴とする携帯端末装置。
【請求項２】
前記本体アンテナは、筐体内に収納可能な棒状のアンテナ部と、当該アンテナ部を前記筐体内に収納する際に、前記アンテナ部が挿入される、内部絶縁された金属チューブとを有し、
前記コネクト手段は、前記クレードルに設けられた前記信号接続ピンおよびグランド接続ピンと前記アンテナ部および前記金属チューブとをそれぞれ接続させることを特徴とする請求項１記載の携帯端末装置。
【請求項３】
前記アンテナ部を引き出した状態で前記クレードルに載置した際には、前記コネクト手段による前記信号接続ピンと前記アンテナ部との接続が解除されることを特徴とする請求項２記載の携帯端末装置。
【発明の詳細な説明】
【技術分野】
【０００１】
本発明は、放送信号をアンテナによって受信し、受信した放送信号から再生した映像信号および音声信号を出力する携帯端末装置に関し、特に専用の載置台であるクレードルに載置可能な携帯端末装置に関する。
【背景技術】
【０００２】
近年、小型の液晶表示パネルが設けられた携帯電話機等の携帯端末装置において、テレビジョン放送信号であるＲＦ信号の受信機能を備え、携帯型テレビジョン受像機として用いることができる機種が普及している。このような携帯端末装置は、携帯時におけるＲＦ信号の受信を想定し、装置本体に本体アンテナを備えていると共に、充電を行うためのクレードルに載置した場合には、据置のテレビジョン受像機として使用することができるように、クレードルに外部アンテナ入力端子が設けられているのが一般的であり、本体アンテナからのＲＦ信号と、外部アンテナ入力端子から入力されたＲＦ信号とのいずれかに切り換えて再生するように構成されている（例えば、特許文献１、２参照）。
【０００３】
しかしながら、従来技術では、本体アンテナと外部アンテナ入力端子との切り替えを、切り替え素子やインピーダンスマッチング素子等からなる切り替え回路を用いて行っており、切り替え回路の配置スペースが必要となってしまうと共に、切り替え素子やインピーダンスマッチング素子等の損失により受信感度が低下してしまうという問題点があった。
【特許文献１】特開２００６−６０４１９号公報
【特許文献２】特開２００５−７３００５号公報
【発明の開示】
【発明が解決しようとする課題】
【０００４】
本発明は斯かる問題点に鑑みてなされたものであり、その目的とするところは、切り替え素子やインピーダンスマッチング素子等からなる切り替え回路を用いることなく、本体アンテナと外部アンテナ入力端子との切り替えを必要最小限の部品で実現することができ、切り替え回路の配置スペースを確保することがないと共に、切り替え素子やインピーダンスマッチング素子等の損失による受信感度の低下を防止することができる携帯端末装置を提供する点にある。
【課題を解決するための手段】
【０００５】
本発明は上記課題を解決すべく、以下に掲げる構成とした。
本発明の携帯端末装置は、クレードルに載置可能な携帯端末装置であって、信号を受信する本体アンテナと、該本体アンテナによって受信された信号を中間周波信号に変換する信号変換手段と、該信号変換手段によって変換された前記中間周波信号を映像信号と音声信号とに復調する信号復調手段と、前記クレードルに載置した際に、前記クレードルに設けられた信号接続ピンと前記本体アンテナとを接続するコネクト手段とを具備し、前記信号接続ピンから供給される信号を前記本体アンテナ経由で前記信号変換手段に入力させることを特徴とする。
【０００６】
さらに、本発明の携帯端末装置は、前記本体アンテナは、筐体内に収納可能な棒状のアンテナ部と、当該アンテナ部を前記筐体内に収納する際に、前記アンテナ部が挿入される、内部絶縁された金属チューブとを有し、前記コネクト手段は、前記クレードルに設けられた前記信号接続ピンおよびグランド接続ピンと前記アンテナ部および前記金属チューブとをそれぞれ接続させることを特徴とする。
【０００７】
さらに、本発明の携帯端末装置は、前記アンテナ部を引き出した状態で前記クレードルに載置した際には、前記コネクト手段による前記信号接続ピンと前記アンテナ部との接続が解除されることを特徴とする。
【発明の効果】
【０００８】
本発明の携帯端末装置は、クレードルに載置した際に、コネクト手段によってクレードルに設けられた信号接続ピンと本体アンテナとが接続されるように構成することにより、携帯端末装置をクレードルに載置すると、信号接続ピンと本体アンテナが接続され、信号接続ピンから供給される信号を本体アンテナ経由で信号変換手段であるチューナに入力させることができるため、切り替え素子やインピーダンスマッチング素子等からなる切り替え回路を用いることなく、本体アンテナと外部アンテナ入力端子との切り替えを必要最小限の部品で実現することができ、切り替え回路の配置スペースを確保することがないと共に、切り替え素子やインピーダンスマッチング素子等の損失による受信感度の低下を防止することができるという効果を奏する。
【０００９】
さらに、本発明の携帯端末装置は、本体アンテナとして、筐体内に収納可能な棒状のアンテナ部と、当該アンテナ部を筐体内に収納する際に、アンテナ部が挿入される、内部絶縁された金属チューブとを有し、コネクト手段によって、クレードルに設けられた信号接続ピンおよびグランド接続ピンとアンテナ部および金属チューブとをそれぞれ接続させるように構成することにより、クレードルに入力されたＲＦ信号を、同軸構造のアンテナ部経由で信号変換手段であるチューナに供給することができるため、信号のＣ／Ｎを十分に確保することができるという効果を奏する。
【００１０】
さらに、本発明の携帯端末装置は、アンテナ部を引き出した状態でクレードルに載置した際には、コネクト手段による信号接続ピンとアンテナ部との接続が解除されるように構成することにより、クレードルに載置した際に、アンテナ部の状態に応じて、再生する信号を選択することができるという効果を奏する。
【発明を実施するための最良の形態】
【００１１】
以下、本発明の実施の形態を図面に基づいて詳細に説明する。
【００１２】
図１は、本発明に係る携帯端末装置の実施の形態の構成を示すブロック図であり、図２は、図１に示す携帯端末装置におけるコネクト機構の構成を示す図であり、図３は、アンテナを収納した状態の図１に示す携帯端末装置をクレードルに載置した際のコネクト機構の構成を示す図であり、図４は、アンテナを引き出した状態の図１に示す携帯端末装置をクレードルに載置した際のコネクト機構の構成を示す図である。
【００１３】
本実施の形態の携帯端末装置１は、地上波デジタル放送信号であるＲＦ信号（高周波信号）を受信し、受信したＲＦ信号から再生した映像信号および音声信号を出力する携帯型テレビジョン受像機であり、図１を参照すると、ＲＦ信号を受信する本体アンテナ１１と、受信したＲＦ信号を増幅する低雑音受信アンプ(ＬＮＡ)１２と、チューナ部１３と、信号再生部１４と、液晶ディスプレイ（ＬＣＤ）１５と、スピーカ１６とを備え、外部アンテナ入力端子２１が設けられたクレードル２に載置可能に構成されている。
【００１４】
本体アンテナ１１は、テレビジョン放送信号であるＲＦ信号（Radio Frequency信号）を受信する受信手段として機能するホイップアンテナであり、筐体１７内に収納可能な棒状のアンテナ部１１１と、アンテナ部１１１を筐体１７に取り付けるネジ部１１２とを備え、アンテナ部１１１によって受信されたＲＦ信号は、ネジ部１１２を介して低雑音受信アンプ(ＬＮＡ)１２に入力される。また、アンテナ部１１１を筐体１７内に収納する際に、内部部品等に当接しないようにアンテナ部１１１が挿入されるスリーブチューブとして、内部絶縁された金属チューブ１１３が設けられており、金属チューブ１１３は、グランドされている。
【００１５】
本体アンテナ１１によって受信されたＲＦ信号は、低雑音受信アンプ(ＬＮＡ)１２で増幅され、チューナ部１３に入力される。チューナ部１３は、図示しないチャンネル選局手段によって指定されたチャンネル（周波数帯域）に含まれるいずれか１つのセグメントを選局し、当該セグメントにおけるＲＦ信号を中間周波信号に変換する信号変換手段であり、変換した中間周波信号を信号再生部１４に出力する。
【００１６】
信号再生部１４は、中間周波信号を映像信号と音声信号とに復調する信号復調手段であり、映像信号を映像出力手段である液晶ディスプレイ（ＬＣＤ）１５に、音声信号を音声出力手段であるスピーカ１６にそれぞれ出力する。
【００１７】
クレードル２は、携帯端末装置１専用の載置台であり、外部アンテナ（家庭内のアンテナ）によって受信されたＲＦ信号が入力される外部アンテナ入力端子２１が設けられており、外部アンテナによって受信されたＲＦ信号は、同軸ケーブル３１とコネクタ３２とを介して外部アンテナ入力端子２１に入力される。また、クレードル２の携帯端末装置１が載置される載置面には、図２を参照すると、信号接続ピン２２と、グランド接続ピン２３とが、突出して設けられており、信号接続ピン２２には、同軸ケーブル３１の内導体、すなわち信号ラインが、グランド接続ピン２３には、同軸ケーブル３１の外導体、すなわちグランドラインがそれぞれ接続されている。
【００１８】
携帯端末装置１の筐体１７には、携帯端末装置１をクレードル２に載置する際に、クレードル２に設けられた信号接続ピン２２およびグランド接続ピン２３に対向する位置に、信号接続ピン２２が嵌入される信号接続用開口部１７１とグランド接続ピン２３が嵌入されるグランド接続用開口部１７２とがそれぞれ形成されている。信号接続用開口部１７１には、アンテナ部１１１を筐体１７に収納した状態で、バネ１８１を介して電気的にアンテナ部１１１と接続されている金属片１９１が配置され、アンテナ部１１１と金属片１９１とがバネ１８１によって遠ざかる方向に付勢されている。また、グランド接続用開口部１７２には、バネ１８２を介して電気的に金属チューブ１１３と接続されている金属片１９２が配置され、金属チューブ１１３と金属片１９２とがバネ１８２によって遠ざかる方向に付勢されている。
【００１９】
アンテナ部１１１を筐体１７に収納した状態の携帯端末装置１をクレードル２に載置した際には、図３を参照すると、クレードル２に設けられている信号接続ピン２２およびグランド接続ピン２３が携帯端末装置１の筐体１７に形成されている信号接続用開口部１７１およびグランド接続用開口部１７２にそれぞれ嵌入される。信号接続ピン２２が信号接続用開口部１７１に嵌入されると、信号接続ピン２２と金属片１９１がバネ１８１による付勢力によって押圧されて接続され、信号接続ピン２２とアンテナ部１１１と接続される。また、グランド接続用開口部１７２にグランド接続ピン２３が嵌入されると、グランド接続ピン２３と金属片１９２とがバネ１８２による付勢力によって押圧されて接続され、グランド接続ピン２３と金属チューブ１１３とが接続される。従って、外部アンテナから外部アンテナ入力端子２１に入力されたＲＦ信号は、同軸構造のアンテナ部１１１経由で低雑音受信アンプ(ＬＮＡ)１２に供給されることになる。
【００２０】
一方、アンテナ部１１１を引き出した状態の携帯端末装置１をクレードル２に載置した際には、図４を参照すると、クレードル２に設けられている信号接続ピン２２およびグランド接続ピン２３が携帯端末装置１の筐体１７に形成されている信号接続用開口部１７１およびグランド接続用開口部１７２にそれぞれ嵌入されるが、アンテナ部１１１とバネ１８１との接続が解除されているため、グランド接続ピン２３のみが金属チューブ１１３とが接続される。従って、アンテナ部１１１で受信されたＲＦ信号が低雑音受信アンプ(ＬＮＡ)１２に供給されることになる。
【００２１】
以上説明したように、本実施の形態によれば、クレードル２に載置した際に、コネクト手段によってクレードル２に設けられた信号接続ピン２２と本体アンテナ１１とが接続されるように構成することにより、携帯端末装置１をクレードル２に載置すると、信号接続ピン２２と本体アンテナ１１が接続され、信号接続ピン２２から供給される信号を本体アンテナ１１経由でチューナ部１３に入力させることができるため、切り替え素子やインピーダンスマッチング素子等からなる切り替え回路を用いることなく、本体アンテナ１１と外部アンテナ入力端子２１との切り替えを必要最小限の部品で実現することができ、切り替え回路の配置スペースを確保することがないと共に、切り替え素子やインピーダンスマッチング素子等の損失による受信感度の低下を防止することができるという効果を奏する。
【００２２】
さらに、本実施の形態によれば、本体アンテナ１１として、筐体１７内に収納可能な棒状のアンテナ部１１１と、当該アンテナ部１１１を筐体１７内に収納する際に、アンテナ部１１１が挿入される、内部絶縁された金属チューブ１１３とを有し、コネクト手段によって、クレードル２に設けられた信号接続ピン２２およびグランド接続ピン２３とアンテナ部１１１および金属チューブ１１３とをそれぞれ接続させるように構成することにより、クレードル２に入力されたＲＦ信号を、同軸構造のアンテナ部１１１経由でチューナ部１３に供給することができるため、信号のＣ／Ｎを十分に確保することができるという効果を奏する。
【００２３】
さらに、本実施の形態によれば、アンテナ部１１１を引き出した状態でクレードル２に載置した際には、コネクト手段による信号接続ピン２２とアンテナ部１１１との接続が解除されるように構成することにより、クレードル２に載置した際に、アンテナ部１１１の状態に応じて、再生する信号を選択することができるという効果を奏する。
【００２４】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２５】
【図１】本発明に係る携帯端末装置の実施の形態の構成を示すブロック図である。
【図２】図１に示す携帯端末装置におけるコネクト機構の構成を示す図である。
【図３】アンテナを収納した状態の図１に示す携帯端末装置をクレードルに載置した際のコネクト機構の構成を示す図である。
【図４】アンテナを引き出した状態の図１に示す携帯端末装置をクレードルに載置した際のコネクト機構の構成を示す図である。
【符号の説明】
【００２６】
１  携帯端末装置
２  クレードル
１１  本体アンテナ
１２  低雑音受信アンプ(ＬＮＡ)
１３  チューナ部
１４  信号再生部
１５  液晶ディスプレイ（ＬＣＤ）
１６  スピーカ
１７  筐体
２１  外部アンテナ入力端子
２２  信号接続ピン
２３  グランド接続ピン
３１  同軸ケーブル
３２  コネクタ
１１１  アンテナ部
１１２  ネジ部
１１３  金属チューブ
１７１  信号接続用開口部
１７２  グランド接続用開口部
１８１、１８２  バネ
１９１、１９２  金属片
【図１】
2009038719.tif 000003
【図２】
2009038719.tif 000004
【図３】
2009038719.tif 000005
【図４】
2009038719.tif 000006